(57)【要約】【課題】浴槽への出湯だけでなく給湯（蛇口やシャワー）による出湯を含む出湯全般を考慮することで、大量出湯の発生を正確に検出でき、且つ大量出湯の後の貯湯タンク内の水の沸き上げ過ぎを抑制できる貯湯式給湯装置を提供する。【解決手段】この貯湯式給湯装置（１）は、貯湯タンク（５）からの出湯量を検出する出湯量検出手段（Ｗ１，Ｔ８，Ｗ２，Ｔ９）と、前記貯湯タンク内の残湯量を検出する残湯量検出手段（Ｔ１〜Ｔ６）と、前記残湯量検出手段の検出残湯量が、加熱手段（３）を起動させるべき起動残湯量以下である場合は、前記加熱手段を起動させる制御手段と、前記出湯量検出手段により所定長の時間内に所定量以上の出湯量が検出された場合に、前記起動残湯量の設定値を第１の設定値からそれよりも低い第２の設定値に変更する設定値変更手段とを備える。【選択図】図１
2010185596.tif 000002
【特許請求の範囲】
【請求項１】
貯湯タンク（５）と、
前記貯湯タンク内の水を加熱する加熱手段（３）と、
前記貯湯タンクからの出湯量を検出する出湯量検出手段（Ｔ１〜Ｔ６，１５０ａ）（Ｗ１，Ｔ８，Ｗ２，Ｔ９，１５０ａ）と、
前記貯湯タンク内の残湯量を検出する残湯量検出手段（Ｔ１〜Ｔ６，１５０ｂ）と、
前記残湯量検出手段の検出残湯量が、前記加熱手段を起動させるべき起動残湯量以下である場合は、前記加熱手段を起動させる制御手段（１５０ｄ）と、
前記出湯量検出手段の検出結果に基づき所定長の時間内に所定量以上の出湯量の発生を検出した場合に、前記起動残湯量の設定値を第１の設定値（Ｖ１）からそれよりも低い第２の設定値（Ｖ２）に変更する設定値変更手段（１５０ｃ）と、
を備えることを特徴とする貯湯式給湯装置。
【請求項２】
請求項１に記載の貯湯式給湯装置であって、
前記制御手段は、前記残湯量検出手段の検出残湯量が、前記加熱手段を停止させるべき停止残湯量以上である場合は、前記加熱手段を停止させ、
前記設定値変更手段は、前記出湯量検出手段の検出結果に基づき前記所定長の時間内に前記所定量以上の出湯量の発生を検出した場合に、前記停止残湯量の設定値を第３の設定値（Ｕ１）からそれよりも低い第４の設定値（Ｕ２）に変更することを特徴とする貯湯式給湯装置。
【請求項３】
請求項１に記載の貯湯式給湯装置であって、
前記第２の設定値は、予め固定値として設定されることを特徴とする貯湯式給湯装置。
【請求項４】
請求項１に記載の貯湯式給湯装置であって、
前記出湯量検出手段の一定期間の検出結果に基づき１回または１日当たりの出湯量を推定し、その出湯量に基づき前記第２の設定値を設定する第２の設定手段（１５０ｆ）を更に備えることを特徴とする貯湯式給湯装置。
【請求項５】
請求項２に記載の貯湯式給湯装置であって、
前記第４の設定値は、予め固定値として設定されることを特徴とする貯湯式給湯装置。
【請求項６】
請求項２に記載の貯湯式給湯装置であって、
前記出湯量検出手段の一定期間の検出結果に基づき１回または１日当たりの出湯量を推定し、その出湯量に基づき前記第４の設定値を設定する第３の設定手段（１５０ｆ）を更に備えることを特徴とする貯湯式給湯装置。
【請求項７】
請求項１，３，４の何れかに記載の貯湯式給湯装置であって、
前記設定値変更手段は、前記所定長の時間内に前記所定量以上の出湯量が発生する時間帯として予め設定された第１の時間帯よりも早い時間帯において、前記所定長の時間内に前記所定量以上の出湯量の発生を検出した場合は、前記起動残湯量の前記設定値を変更しないことを特徴とする貯湯式給湯装置。
【請求項８】
請求項２，５，６の何れかに記載の貯湯式給湯装置であって、
前記設定値変更手段は、前記所定長の時間内に前記所定量以上の出湯量が発生する時間帯として予め設定された第１の時間帯よりも早い時間帯において、前記所定長の時間内に前記所定量以上の出湯量の発生を検出した場合は、前記停止残湯量の前記設定値を変更しないことを特徴とする貯湯式給湯装置。
【請求項９】
請求項１〜８の何れかに記載の貯湯式給湯装置であって、
前記所定長の時間は、予め固定値として設定されることを特徴とする貯湯式給湯装置。
【請求項１０】
請求項１〜８の何れかに記載の貯湯式給湯装置であって、
前記出湯量検出手段の一定期間の検出結果に基づき１回の出湯に要する時間を推定し、その推定した時間に基づき前記所定長の時間を設定する第１の設定手段（１５０ｆ）を更に備えることを特徴とする貯湯式給湯装置。
【請求項１１】
請求項１〜１０の何れかに記載の貯湯式給湯装置であって、
前記出湯量検出手段は、
前記貯湯タンク（５）からの出湯を所定の浴槽（９）へと流す第１配管（ｈ１６）に流れる湯の温度を検出する第１の水温検出手段（Ｔ８）と、
前記第１配管に流れる湯の水量を検出する第１の水量検出手段（Ｗ１）と、
前記第１の水温検出手段および前記第１の水量検出手段の検出結果に基づき前記第１配管に流れる湯の熱量を検出し、その検出した熱量に基づき、前記貯湯タンクからの出湯量を検出する検出手段（１５０ａ）と、
を備えることを特徴とする貯湯式給湯装置。
【請求項１２】
請求項１〜１１の何れかに記載の貯湯式給湯装置であって、
前記出湯量検出手段は、
前記貯湯タンクからの出湯を所定の浴槽以外の給湯部（７）へと流す第２配管（ｈ１１）に流れる湯の温度を検出する第２の水温検出手段（Ｔ９）と、
前記第２配管に流れる湯の水量を検出する第２の水量検出手段（Ｗ２）と、
前記第２の水温検出手段および記第２の水量検出手段の検出結果に基づき前記第２配管に流れる湯の熱量を検出し、その検出した熱量に基づき、前記貯湯タンクからの出湯量を検出する検出手段（１５０ａ）と、
を備えることを特徴とする貯湯式給湯装置。
【請求項１３】
請求項１〜１２に記載の貯湯式給湯装置であって、
前記貯湯式給湯装置は、
前記貯湯タンク（５）からの出湯と所定の浴槽（９）からの湯水との間で熱交換を行う熱交換器（２５）と、
前記貯湯タンクからの出湯を前記熱交換器内に循環させる循環配管（ｈ２１）に流れる湯の温度を検出する第３の水温検出手段（Ｔ１）と、
前記循環配管に流れる湯の水量を検出する第３の水量検出手段（Ｐ３）と、
を備え、
前記検出手段（１５０ａ）は、前記第３の水温検出手段および前記第３の水量検出手段の検出結果に基づき前記循環配管に流れる湯の熱量を検出し、その検出した熱量に基づき、前記循環配管を通じての前記貯湯タンクからの出湯量を検出することを特徴とする貯湯式給湯装置。
【請求項１４】
請求項１３に記載の貯湯式給湯装置であって、
前記循環配管に配設された循環ポンプ（Ｐ３）を更に備え、
前記第３の水量検出手段として前記循環ポンプ（Ｐ３）が用いられることを特徴とする貯湯式給湯装置。
【請求項１５】
請求項１〜１０の何れかに記載の貯湯式給湯装置であって、
前記出湯量検出手段は、
前記貯湯タンクにおいて上下に沿って配設された複数の水温検出手段（Ｔ１〜Ｔ６）と、
前記複数の水温検出手段の検出結果に基づき前記貯湯タンク内の残湯の熱量の変化を検出し、その熱量の変化に基づき前記貯湯タンクからの出湯量を検出する検出手段（１５０ａ）と、
を備えることを特徴とする貯湯式給湯装置。
【請求項１６】
貯湯タンク（５）と、
前記貯湯タンク内の水を加熱する加熱手段（３）と、
前記貯湯タンクからの出湯量を検出する出湯量検出手段（Ｔ１〜Ｔ６，１５０ａ）（Ｗ１，Ｔ８，Ｗ２，Ｔ９，１５０ａ）と、
前記貯湯タンク内の残湯量を検出する残湯量検出手段（Ｔ１〜Ｔ６，１５０ｂ）と、
前記残湯量検出手段の検出残湯量が、前記加熱手段を停止させるべき停止残湯量以上である場合は、前記加熱手段を停止させる制御手段（１５０ｄ）と、
前記出湯量検出手段の検出結果に基づき所定長の時間内に所定量以上の出湯量の発生を検出した場合に、前記停止残湯量の設定値を第３の設定値（Ｕ１）からそれよりも低い第４の設定値（Ｕ２）に変更する設定値変更手段（１５０ｃ）と、
を備えることを特徴とする貯湯式給湯装置。
【発明の詳細な説明】
【技術分野】
【０００１】
本発明は、浴槽への湯張りが可能な貯湯式給湯装置に関する。
【背景技術】
【０００２】
最近の貯湯式給湯装置では、設置スペースを小さくするために小容量の貯湯タンクを用いている。この様な貯湯式給湯装置では、湯切れを防止するために、大量出湯の後、直ぐにヒートポンプユニット（加熱手段）を起動して貯湯タンク内の水を沸き上げて、貯湯タンク内の残湯量を十分多く確保する様にしている。
【０００３】
しかし、大量出湯の発生直後に貯湯タンク内の水を沸き上げて貯湯タンク内の残湯量を十分多く確保しても、大量出湯の発生後は、その後暫くの間は、大量出湯が発生することは殆ど無いので、貯湯タンク内の残湯量が必要量以上に確保されることになり、貯湯タンク内の湯からの放熱ロスが増加する。
【０００４】
また昼間時間帯に貯湯タンク内の水を沸き上げ過ぎて貯湯タンク内の残湯量が十分多く確保されると、貯湯タンク内において、電力料金の安い夜間時間帯で沸き上げるべき水が少なくなり、電気料金の高い昼間時間帯での沸き上げの比率が大きくなり、経済性が損なわれる。
【０００５】
この様な貯湯式給湯装置に関連する先行技術として、特許文献１に示されるものが知られている。
【先行技術文献】
【特許文献】
【０００６】
【特許文献１】特開２００２−１３０８０４号公報
【発明の概要】
【発明が解決しようとする課題】
【０００７】
特許文献１の貯湯式給湯装置は、利用者による湯張りスイッチのオン操作に基づいて貯湯タンク内の水の沸き上げ動作を制御するものであり、給湯（シャワーおよびカラン）により大量出湯が発生しても、その大量出湯を検出する事はできない。
【０００８】
この発明の課題は、上記のような問題点を解決するためになされたものであり、浴槽への出湯だけでなく給湯（蛇口やシャワー）による出湯を含む出湯全般を考慮することで、大量出湯の発生を正確に検出でき、且つ大量出湯の後の貯湯タンク内の水の沸き上げ過ぎを抑制できる貯湯式給湯装置を提供することにある。
【課題を解決するための手段】
【０００９】
上記課題を解決する為に、本発明の第１の態様は、貯湯タンク（５）と、前記貯湯タンク内の水を加熱する加熱手段（３）と、前記貯湯タンクからの出湯量を検出する出湯量検出手段（Ｔ１〜Ｔ６，１５０ａ）（Ｗ１，Ｔ８，Ｗ２，Ｔ９，１５０ａ）と、前記貯湯タンク内の残湯量を検出する残湯量検出手段（Ｔ１〜Ｔ６，１５０ｂ）と、前記残湯量検出手段の検出残湯量が、前記加熱手段を起動させるべき起動残湯量以下である場合は、前記加熱手段を起動させる制御手段（１５０ｄ）と、前記出湯量検出手段の検出結果に基づき所定長の時間内に所定量以上の出湯量の発生を検出した場合に、前記起動残湯量の設定値を第１の設定値（Ｖ１）からそれよりも低い第２の設定値（Ｖ２）に変更する設定値変更手段（１５０ｃ）と、を備えるものである。
【００１０】
本発明の第２の態様は、第１の態様に記載の貯湯式給湯装置であって、前記制御手段は、前記残湯量検出手段の検出残湯量が、前記加熱手段を停止させるべき停止残湯量以上である場合は、前記加熱手段を停止させ、前記設定値変更手段は、前記出湯量検出手段の検出結果に基づき前記所定長の時間内に前記所定量以上の出湯量の発生を検出した場合に、前記停止残湯量の設定値を第３の設定値（Ｕ１）からそれよりも低い第４の設定値（Ｕ２）に変更するものである。
【００１１】
本発明の第３の態様は、第１の態様に記載の貯湯式給湯装置であって、前記第２の設定値は、予め固定値として設定されるものである。
【００１２】
本発明の第４の態様は、第１の態様に記載の貯湯式給湯装置であって、前記出湯量検出手段の一定期間の検出結果に基づき１回当たりの出湯量を推定し、その出湯量に基づき前記第２の設定値を設定する第２の設定手段（１５０ｆ）を更に備えるものである。
【００１３】
本発明の第５の態様は、第２の態様に記載の貯湯式給湯装置であって、前記第４の設定値は、予め固定値として設定されるものである。
【００１４】
本発明の第６の態様は、第２の態様に記載の貯湯式給湯装置であって、前記出湯量検出手段の一定期間の検出結果に基づき１回当たりの出湯量を推定し、その出湯量に基づき前記第４の設定値を設定する第３の設定手段（１５０ｆ）を更に備えるものである。
【００１５】
本発明の第７の態様は、第１，３，４の態様の何れかに記載の貯湯式給湯装置であって、前記設定値変更手段は、前記所定長の時間内に前記所定量以上の出湯量が発生する時間帯として予め設定された第１の時間帯よりも早い時間帯において、前記所定長の時間内に前記所定量以上の出湯量を検出した場合は、前記起動残湯量の前記設定値を変更しないものである。
【００１６】
本発明の第８の態様は、第２，５，６の態様の何れかに記載の貯湯式給湯装置であって、前記設定値変更手段は、前記所定長の時間内に前記所定量以上の出湯量が発生する時間帯として予め設定された第１の時間帯よりも早い時間帯において、前記所定長の時間内に前記所定量以上の出湯量の発生を検出した場合は、前記停止残湯量の前記設定値を変更しないものである。
【００１７】
本発明の第９の態様は、第１〜第８の態様の何れかに記載の貯湯式給湯装置であって、
前記所定長の時間は、予め固定値として設定されるものである。
【００１８】
本発明の第１０の態様は、第１〜第８の態様の何れかに記載の貯湯式給湯装置であって、前記出湯量検出手段の一定期間の検出結果に基づき１回の出湯に要する時間を推定し、その推定した時間に基づき前記所定長の時間を設定する第１の設定手段（１５０ｆ）を更に備えるものである。
【００１９】
本発明の第１１の態様は、第１〜第１０の態様の何れかに記載の貯湯式給湯装置であって、前記出湯量検出手段は、前記出湯量検出手段は、前記貯湯タンク（５）からの出湯を所定の浴槽（９）へと流す第１配管（ｈ１６）に流れる湯の温度を検出する第１の水温検出手段（Ｔ８）と、前記第１配管に流れる湯の水量を検出する第１の水量検出手段（Ｗ１）と、前記第１の水温検出手段および前記第１の水量検出手段の検出結果に基づき前記第１配管に流れる湯の熱量を検出し、その検出した熱量に基づき、前記貯湯タンクからの出湯量を検出する検出手段（１５０ａ）と、を備えるものである。
【００２０】
本発明の第１２の態様は、第１〜第１１の何れかに記載の貯湯式給湯装置であって、前記出湯量検出手段は、前記貯湯タンクからの出湯を所定の浴槽以外の給湯部（７）へと流す第２配管（ｈ１１）に流れる湯の温度を検出する第２の水温検出手段（Ｔ９）と、前記第２配管に流れる湯の水量を検出する第２の水量検出手段（Ｗ２）と、前記第２の水温検出手段および記第２の水量検出手段の検出結果に基づき前記第２配管に流れる湯の熱量を検出し、その検出した熱量に基づき、前記貯湯タンクからの出湯量を検出する検出手段（１５０ａ）と、を備える。
【００２１】
本発明の第１３の態様は、第１〜第１２の態様に記載の貯湯式給湯装置であって、前記貯湯式給湯装置は、前記貯湯タンク（５）からの出湯と所定の浴槽（９）からの湯水との間で熱交換を行う熱交換器（２５）と、前記貯湯タンクからの出湯を前記熱交換器内に循環させる循環配管（ｈ２１）に流れる湯の温度を検出する第３の水温検出手段（Ｔ１）と、前記循環配管に流れる湯の水量を検出する第３の水量検出手段（Ｐ３）と、を更に備え、前記検出手段（１５０ａ）は、前記第３の水温検出手段および前記第３の水量検出手段の検出結果に基づき前記循環配管に流れる湯の熱量を検出し、その検出した熱量に基づき、前記循環配管を通じての前記貯湯タンクからの出湯量を検出するものである。
【００２２】
本発明の第１４の態様は、第１３の態様に記載の貯湯式給湯装置であって、前記循環配管に配設された循環ポンプ（Ｐ３）を更に備え、前記第３の水量検出手段として前記循環ポンプ（Ｐ３）が用いられるものである。
【００２３】
本発明の第１５の態様は、第１〜第１０の態様の何れかに記載の貯湯式給湯装置であって、前記出湯量検出手段は、前記貯湯タンクにおいて上下に沿って配設された複数の水温検出手段（Ｔ１〜Ｔ６）と、前記複数の水温検出手段の検出結果に基づき前記貯湯タンク内の残湯の熱量の変化を検出し、その熱量の変化に基づき前記貯湯タンクからの出湯量を検出する検出手段（１５０ａ）と、を備えるものである。
【００２４】
本発明の第１６の態様は、貯湯タンク（５）と、前記貯湯タンク内の水を加熱する加熱手段（３）と、前記貯湯タンクからの出湯量を検出する出湯量検出手段（Ｔ１〜Ｔ６，１５０ａ）（Ｗ１，Ｔ８，Ｗ２，Ｔ９，１５０ａ）と、前記貯湯タンク内の残湯量を検出する残湯量検出手段（Ｔ１〜Ｔ６，１５０ｂ）と、前記残湯量検出手段の検出残湯量が、前記加熱手段を停止させるべき停止残湯量以上である場合は、前記加熱手段を停止させる制御手段（１５０ｄ）と、前記出湯量検出手段の検出結果に基づき所定長の時間内に所定量以上の出湯量の発生を検出した場合に、前記停止残湯量の設定値を第３の設定値（Ｕ１）からそれよりも低い第４の設定値（Ｕ２）に変更する設定値変更手段（１５０ｃ）と、を備えるものである。
【発明の効果】
【００２５】
本発明の第１の態様によれば、所定長の時間内に所定量以上の出湯量（即ち大量出湯）の発生が検出された場合に、起動残湯量の設定値は第１の設定値からそれよりも低い第２の設定値に変更されるので、大量出湯の発生後は加熱手段が起動することを抑制でき、これにより大量出湯の発生後の貯湯タンク内の水の沸き上げ過ぎを抑制できる。また貯湯タンクからの出湯量に基づき大量出湯の発生が検出されるので、浴槽への出湯だけでなく給湯（蛇口やシャワー）からの出湯を含む出湯全般を考慮でき、これにより大量出湯の発生を正確に検出できる。
【００２６】
本発明の第２の態様によれば、所定長の時間内に所定量以上の出湯量（即ち大量出湯）の発生が検出された場合に、停止残湯量の設定値は第３の設定値からそれよりも低い第４の設定値に変更されるので、大量出湯の発生後に加熱手段が起動しても、その駆動時間を短くでき、これによっても大量出湯の発生後の貯湯タンク内の水の沸き上げ過ぎを抑制できる。
【００２７】
本発明の第３の態様によれば、第２の設定値は予め固定値として設定されるので、第２の設定値を所望の値に設定できる。
【００２８】
本発明の第４の態様によれば、第２の設定値は第２の設定手段により設定されるので、第２の設定値を、出湯の発生状況に応じて自動的に適切な値に設定できる。
【００２９】
本発明の第５の態様によれば、第４の設定値は予め固定値として設定されるので、第４の設定値を所望の値に設定できる。
【００３０】
本発明の第６の態様によれば、第４の設定値は第３の設定手段により設定されるので、第４の設定値を、出湯の発生状況に応じて自動的に適切な値に設定できる。
【００３１】
本発明の第７の態様によれば、予め設定された第１の時間帯よりも早い時間帯において、所定長の時間内に所定量以上の出湯量（即ち大量出湯）の発生が検出された場合は、起動残湯量の設定値は変更されないので、早い時間帯から起動残湯量の設定値が第１の設定値よりも低い第２の設定値に変更される事を防止でき、これにより貯湯タンク内の湯が湯切れする事を防止できる。
【００３２】
本発明の第８の態様によれば、予め設定された第１の時間帯よりも早い時間帯において、所定長の時間内に所定量以上の出湯量（即ち大量出湯）の発生が検出された場合は、停止残湯量の設定値は変更されないので、早い時間帯から停止残湯量の設定値が第３の設定値よりも低い第４の設定値に変更される事を防止でき、これにより貯湯タンク内の湯が湯切れする事を防止できる。
【００３３】
本発明の第９の態様によれば、所定長の時間は予め固定値として設定されるので、所定長の時間を所望の値に設定できる。
【００３４】
本発明の第１０の態様によれば、所定長の時間は、第１の設定手段により設定されるので、所定長の時間を、出湯の発生状況に応じて自動的に適切な値に決定できる。
【００３５】
本発明の第１１の態様によれば、貯湯タンクからの出湯を所定の浴槽へと流す第１配管に流れる湯の熱量に基づき、貯湯タンクからの出湯量を検出するので、簡単な構成で、貯湯タンクからの出湯量を検出できる。
【００３６】
本発明の第１２の態様によれば、貯湯タンクからの出湯を給湯部へと流す第２配管に流れる湯の熱量に基づき、貯湯タンクからの出湯量を検出するので、簡単な構成で、貯湯タンクからの出湯量を検出できる。
【００３７】
本発明の第１３の態様によれば、貯湯タンクからの出湯を熱交換器内に循環させる循環配管に流れる湯の熱量を検出して貯湯タンクからの出湯量を検出するので、熱交換器への出湯量を考慮して貯湯タンクからの出湯量を検出できる。
【００３８】
本発明の第１４の態様によれば、第３の水量検出手段として、循環配管に配設された循環ポンプが用いられるので、新たに水量検出手段を配設する必要が無くなる。
【００３９】
本発明の第１５の態様によれば、貯湯タンクに配設された水温検出手段の検出結果に基づき貯湯タンクからの出湯量を検出するので、簡単な構成で、直接、貯湯タンクからの出湯量を検出できる。
【００４０】
本発明の第１６の態様によれば、所定長の時間内に所定量以上の出湯量（即ち大量出湯）の発生が検出された場合に、停止残湯量の設定値は第３の設定値からそれよりも低い第４の設定値に変更されるので、大量出湯の発生後に加熱手段が起動しても、その駆動時間を短くでき、これによっても大量出湯の発生後の貯湯タンク内の水の沸き上げ過ぎを抑制できる。
【図面の簡単な説明】
【００４１】
【図１】実施例１に係る貯湯式給湯装置の配管を中心とした構成概略図である。
【図２】実施例１に係る貯湯式給湯装置の制御装置の構成概略図である。
【図３】実施例１に係る貯湯式給湯装置の主要部分の動作を説明するフローチャートである。
【図４】（Ａ）は、実施例１に係る貯湯式給湯装置における１日の沸き上げ動作を説明する図であり、（Ｂ）は、従来の貯湯式給湯装置における１日の沸き上げ動作を説明する図である。
【図５】実施例３および実施例４に係る貯湯式給湯装置の制御装置の構成概略図である。
【図６】実施例５に係る貯湯式給湯装置の配管を中心とした構成概略図である。
【発明を実施するための形態】
【００４２】
［実施例１］
≪全体構成≫
図１は、実施例１に係る貯湯式給湯装置１の構成図であり、図２は、この貯湯タンク１の制御装置の構成図を示したものであり、図３は、この貯湯式給湯装置１の主要な動作のフローチャートである。
【００４３】
貯湯式給湯装置１は、ヒートポンプユニット（加熱手段）３により沸き上げられた湯を貯湯タンク５に貯湯し、その貯湯した湯を、利用者の操作に応じて、浴槽９に出湯しまたは浴槽９以外の給湯部（例えば蛇口またはシャワー）７から出湯するものである。
【００４４】
貯湯タンク５は、例えば円筒状に形成されており、例えば１８０Ｌ（Ｌ：リットル）の容量を有している。貯湯タンク５の上部には、缶体上サーミスタ（水温検出手段）Ｔ１が配設されており、貯湯タンク５の側面には、複数の残湯量サーミスタ（水温検出手段）Ｔ２〜Ｔ６が、上下に沿って間隔を空けて配設されている。各サーミスタＴ１〜Ｔ６は、貯湯タンク５内の湯または水（以後、湯水と呼ぶ）の温度を測定するものである。
【００４５】
各サーミスタＴ１〜Ｔ６はそれぞれ、貯湯タンク５の残湯量Ｋ（例えばＫ＝ゼロＬ）、Ａ（例えばＡ＝２０Ｌ），Ｂ（例えばＢ＝５０Ｌ），Ｃ（例えばＣ＝８０Ｌ），Ｄ（例えばＤ＝１２０Ｌ），Ｅ（例えばＥ＝１５０Ｌ）に対応する高さ位置に配設されている。尚、貯湯タンク５内は常に湯水で満たされており、湯は貯湯タンク５の上部側から順に貯湯される。
【００４６】
貯湯タンク５の底面には、貯湯タンク５内に給水するための給水口５ａが設けられている。この給水口５ａは、第１給水管ｈ１を介して、水道水が供給される第２給水管ｈ２の分岐点Ｎ１に分岐接続されている。第１給水管ｈ１には、第２給水管ｈ２から流入した水が逆流する事を防止するための逆止弁Ｂ１が配設されている。
【００４７】
また貯湯タンク５の底面には、吐出口５ｂが設けられている。この吐出口５ｂは、第１吐出管ｈ３を介して第２吐出管ｈ４に分岐接続されている。各吐出管ｈ３，ｈ４の分岐接続点には、排水用三方弁Ｂ２が配設されている。
【００４８】
尚、第２吐出管ｈ４の一端口は、ＨＰ（ヒートポンプユニット）循環往き口１１に接続されており、また第２吐出管ｈ４の他端口は、排水接続口１３に接続されている。ＨＰ循環往き口１１は、循環配管ｈ５を介してＨＰ循環戻り口１５に接続されており、排水接続口１３は、外部の排水管ｈ６に接続されている。
【００４９】
尚、循環配管ｈ５は、ヒートポンプ３内に引き込まれている。ヒートポンプ３により循環配管ｈ５が加熱されることで、循環配管ｈ５において、ＨＰ循環往き口１１側から流入する水が沸き上げられてＨＰ循環戻り口１５側へと流出する。
【００５０】
尚、排水用三方弁Ｂ２は、例えば手動操作によりその弁体の開度が調整されることで、第１吐出管ｈ３からの水を、第２吐出管ｈ４におけるＨＰ循環往き口１１側または排水接続口１３側に流出させるものである。この排水用三方弁Ｂ２は、通常時は、第１吐出管ｈ３からの水をＨＰ循環往き口１１側に流出させるように調整されている。
【００５１】
第２吐出管ｈ４には、排水用三方弁Ｂ２とＨＰ循環往き口１１との間において、排水用三方弁Ｂ２からの水をＨＰ循環往き口１１側に送り出すための循環ポンプＰ１が配設されている。
【００５２】
貯湯タンク５の上面には、第１入湯口５ｃが設けられており、貯湯タンク５の底面には、第２入湯口５ｄが設けられている。第１入湯口５ｃは、第１入湯管ｈ７を介してＨＰ循環戻り口１５に接続されており、第２入湯口５ｄは、第２入湯管ｈ９を介して第１入湯管ｈ７に分岐接続されている。各入湯管ｈ７，ｈ９の分岐接続点には、三方弁Ｂ３が設けられている。
【００５３】
尚、三方弁Ｂ３は、電動モータによりその弁体の開度が調整される電動式である。三方弁Ｂ３は、後述の制御装置１５０の制御によりその弁体の開度が調整されることで、第１入湯管ｈ７のＨＰ循環戻り口１５側から流入する湯を、第１入湯管ｈ７を通じて第１入湯口５ｃ側に流出させ、または第２入湯管ｈ９を通じて第２入湯口５ｄ側に流出させるものである。
【００５４】
また貯湯タンク５の上面には、出湯口５ｅが設けられている。この出湯口５ｅは、第１出湯配管ｈ１０を介して給湯混合弁Ｂ４に接続されている。尚、第１出湯配管ｈ１０には、出湯口５ｅ側から流入する湯が逆流する事を防止するための逆止弁Ｂ５が配設されている。
【００５５】
給湯混合弁Ｂ４には、更に、第２給水管ｈ２の一端口が接続されると共に、給湯配管ｈ１１の一端口が接続されている。尚、第２給水管ｈ２の他端口は、給水接続口１７に接続されており、給水接続口１７には、外部からの給水管ｈ２０が接続されている。給湯配管ｈ１１の他端口は、給湯接続口１９に接続されており、給湯接続口１９には、配管ｈ１２を介して給湯部（例えば蛇口またはシャワー）７が接続されている。
【００５６】
給湯混合弁Ｂ４は、電動モータによりその弁体の開度が調整される電動式である。給湯混合弁Ｂ４は、後述の制御装置１５０の制御によりその弁体の開度が調整されることで、第１出湯配管ｈ１０からの湯と第２給水管ｈ２からの水とを所望の混合比で混合し、その混合した湯を給湯配管ｈ１１を通じて給湯部７に流出させるものである。
【００５７】
尚、第２給水管ｈ２には、例えば、給水接続口１７と分岐点Ｎ１との間において、逆止弁付きストレーナ２０と、第２給水管ｈ２を流れる水の温度を検出する水温サーミスタ（水温検出手段）Ｔ７と、給水接続口１７側から流入した水の水圧を所定の水圧（例えば１７０ｋＰａ）に減圧する減圧弁Ｂ７とが配設されている。
【００５８】
逆止弁付きストレーナ２０は、給水接続口１７側から流入した水に含まれるゴミを取るためのストレーナＳ１（例えばメッシュ数＃６０）と、給水接続口１７側から流入した水が逆流する事を防止するための逆止弁Ｂ６とを備えている。また第２給水管ｈ２には、例えば、給湯混合弁Ｂ４と分岐点Ｎ１との間において、分岐点Ｎ１側から流入した水が逆流する事を防止するための逆止弁Ｂ８が配設されている。
【００５９】
給湯配管ｈ１１には、給湯配管ｈ１１を流れる湯の水量を検出する給湯水量センサ（水量検出手段）Ｗ２と、給湯配管ｈ１１を流れる湯の温度を検出する給湯サーミスタ（水温検出手段）Ｔ９とが配設されている。
【００６０】
第１出湯配管ｈ１０の分岐点Ｎ２には、外部に引き出された第３排水管ｈ１３の一端口が分岐接続されている。尚、分岐点Ｎ２は、例えば、第１出湯配管ｈ１０における出湯口５ｅと逆止弁Ｂ５との間に位置している。
【００６１】
第３排水管ｈ１３には、負圧作動弁付き逃し弁Ｂ９が配設されている。負圧作動弁付き逃し弁Ｂ９は、貯湯タンク５内の水圧が所定の水圧（例えば１９０ｋＰａ）未満の場合は、その弁体を閉塞して、貯湯タンク５内の湯水が、各部５ｅ→Ｎ２→ｈ１３の経路を経て外部に排水される事を禁止し、他方、貯湯タンク５内の水圧が前記所定の水圧以上の場合は、その弁体を開成して、貯湯タンク５内の湯水を、各部５ｅ→Ｎ２→ｈ１３の経路を経て外部に排出するものである。
【００６２】
第１出湯配管ｈ１０の分岐点Ｎ３には、第２出湯配管ｈ１４を介して湯張り混合弁Ｂ１１接続されている。尚、分岐点Ｎ３は、例えば、第１出湯配管ｈ１０における分岐点Ｎ２と逆止弁Ｂ５との間に位置している。尚、第２出湯配管ｈ１４には、分岐点Ｎ３から流入した湯が逆流する事を防止するための逆止弁Ｂ１０が配設されている。
【００６３】
湯張り混合弁Ｂ１１には、第３給水管ｈ１５の一端口が接続されると共に、第３出湯配管ｈ１６の一端口が接続されている。尚、第３給水管ｈ１５の他端口は、第２給水管ｈ２の分岐点Ｎ４に接続されている。分岐点Ｎ４は、例えば、第２給水管ｈ２における逆止弁Ｂ８と分岐点Ｎ１との間に位置している。また第３出湯配管ｈ１６の他端口は、風呂配管口２１に接続されており、風呂配管口２１には、配管ｈ１７を介して浴槽９が配設されている。
【００６４】
湯張り混合弁Ｂ１１は、電動モータによりその弁体の開度が調整される電動式である。湯張り混合弁Ｂ１１は、後述の制御装置１５０の制御によりその弁体の開度が調整されることで、第２出湯配管ｈ１４からの湯と第３給水管ｈ１５からの水とを所望の混合比で混合して、その混合した湯を、第３出湯配管ｈ１６を通じて浴槽９側に流出させるものである。
【００６５】
第３出湯配管ｈ１６には、複合水弁２３が配設されている。複合水弁２３は、湯張り電磁弁Ｂ１２と、湯張り水量センサ（水量検出手段）Ｗ１と、逆止弁Ｂ１３，Ｂ１４と、排水弁Ｂ１５とを備えている。それら各要素Ｂ１２，Ｂ１３，Ｗ２，Ｂ１４は、例えば、湯張り混合弁Ｂ１１側からその順に第３出湯配管ｈ１６に配設されている。
【００６６】
尚、湯張り電磁弁Ｂ１２は、電動モータによりその弁体の開度が調整される電動式である。湯張り電磁弁Ｂ１２は、後述の制御装置１５０の制御によりその弁体の開度が調整されることで、第３出湯配管ｈ１６に流れる湯の水量を調整するものである。また湯張り水量センサＷ１は、第３出湯配管ｈ１６を流れる湯の水量を検出するものである。また各逆止弁Ｂ１３，Ｂ１４は、第３出湯配管ｈ１６を流れる湯が湯張り混合弁Ｂ１１側に逆流する事または浴槽９からの湯が混合弁Ｂ１１側に逆流する事を防止するものである。
【００６７】
排水弁Ｂ１５には、第３出湯配管ｈ１６の分岐点Ｎ５からの配管ｈ１９が接続されると共に、第３出湯配管ｈ１６の分岐点Ｎ６からの配管ｈ１８が接続されている。尚、分岐点Ｎ５は、例えば、逆止弁Ｂ１３と湯張り水量センサＷ１との間に位置しており、分岐点Ｎ６は、例えば、湯張り混合弁Ｂ１１と湯張り電磁弁Ｂ１２との間に位置している。また排水弁Ｂ１５には、外部に引き出された第４排水管ｈ２７の一端口が接続されている。
【００６８】
排水弁Ｂ１５は、その弁体が開成することで、第３出湯配管ｈ１６に貯まった湯水を配管ｈ１８，ｈ１９を通じて第４排水管ｈ２７から外部に排出するものである。この排水弁Ｂ１５は、例えば、手動式に構成されて手動により、または電動式に構成されて後述の制御装置１５０の制御により、その弁体の開度が調整される様になっている。
【００６９】
第３出湯配管ｈ１６には、例えば複合水弁２３と風呂配管口２１との間において、第３出湯配管ｈ１６を流れる湯の温度を検出する湯張りサーミスタ（水温検出手段）Ｔ８が配設されている。
【００７０】
またこの貯湯式給湯装置１は、図２の様に、制御装置１５０と、リモコン装置（設定入力手段）１６０とを備えている。制御装置１５０は、各サーミスタＴ１〜Ｔ９および各水量センサＷ１，Ｗ２の検出結果に基づき、各弁Ｂ３，Ｂ４，Ｂ１１，Ｂ１２、ヒートポンプユニット３およびポンプＰ１を制御するものである。リモコン装置１６０は、利用者の操作を受け付けるものである。
【００７１】
制御装置１５０は、出湯量検出部（検出手段）１５０ａと、残湯量検出部（残湯量検出手段）１５０ｂと、設定値変更部（設定値変更手段）１５０ｃと、制御部（制御手段）１５０ｄとを備えている。
【００７２】
出湯量検出部１５０ａは、貯湯タンク５からの出湯量を検出するものである。ここでは、出湯量検出部１５０ａは、給湯水量センサＷ２および給湯サーミスタＴ９の検出結果に基づき、給湯配管ｈ１１を流れる湯の熱量を検出することで、給湯部７から出湯される湯の湯量を検出する。また出湯量検出部１５０ａは、湯張り水量センサＷ１および湯張りサーミスタＴ８の検出結果に基づき、第３出湯配管ｈ１６を流れる湯の熱量を検出することで、浴槽９に出湯される湯の湯量を検出する。そして出湯量検出部１５０ａは、それらの湯量から貯湯タンク５からの出湯量を検出する。
【００７３】
尚ここでは、貯湯タンク５からの出湯量は、例えば熱量として検出される。貯湯タンク５内の残湯量の温度は、おおよそ所定温度（沸き上げの際の温度）に保たれているので、貯湯タンク５からの出湯量の熱量が分かれば、貯湯タンク５からの出湯量は特定できる。
【００７４】
残湯量検出部１５０ｂは、貯湯タンク５内の残湯量を検出するものであり、各サーミスタＴ１〜Ｔ６の検出結果に基づき、貯湯タンク５内の残湯と水との境界面のおおよその位置を検出し、その位置に基づき貯湯タンク５内の残湯量を検出する。例えば、残湯量検出部１５０ｂは、各サーミスタＴ１〜Ｔ３の検出温度が例えば７５℃の高温で、サーミスタＴ４〜Ｔ６の検出温度が例えば２０℃の低温である場合は、貯湯タンク５内の湯と水の境界面はサーミスタＴ３の高さ位置にあると判断し、貯湯タンク５内の残湯量は、サーミスタＴ３の高さ位置に対応する残湯量Ｂであると検出する。
【００７５】
設定値変更部１５０ｃは、出湯量検出部１５０ａの検出結果に基づき、例えば図４（Ａ）の様に、ヒートポンプユニット３を起動させるべき起動残湯量の設定値Ｖを、設定値Ｖ１（ここではＶ１＝残湯量Ｃ）、またはそれよりも低い設定値Ｖ２（ここではＶ２＝残湯量Ａ）に変更する。また設定値変更部１５０ｃは、出湯量検出部１５０ａの検出結果に基づき、例えば図４（Ａ）の様に、ヒートポンプユニット３を停止させるべき停止残湯量の設定値Ｕを、設定値Ｕ１（ここではＵ１＝残湯量Ｅ）、またはそれよりも低い設定値Ｕ２（ここではＵ２＝残湯量Ｂ）、または貯湯タンク５の全量状態に対応する設定値Ｕ３（＝残湯量Ｆ）に変更する。尚、設定値Ｖ１は設定値Ｕ１よりも低く設定されており、また設定値Ｖ２は設定値Ｕ２よりも低く設定されている。
【００７６】
尚、設定値Ｕ１は、例えば、貯湯タンク５の全量状態よりは低いが、１日の出湯量に対して十分な量の値に設定される。設定値Ｖ１は、設定値Ｕ１よりも低く設定されており、例えば、浴槽９への湯張りなどの大量出湯に対して湯切れしない量の値に設定されている。各設定値Ｕ２，Ｖ２は、例えば、１回（または１日）当たりの出湯量の平均値に所定係数を掛けた値に設定されている。設定値Ｕ２の当該所定係数が設定値Ｖ２の当該所定係数よりも大きく設定されることで、設定値Ｕ２が設定値Ｖ２よりも高くなる様に設定しても良い。
【００７７】
制御部１５０ｄは、例えばリモコン装置１６０への入力操作に基づき、ヒートポンプユニット３およびポンプＰ１を起動すると共に三方弁Ｂ３を制御して、貯湯タンク５内の水の沸き上げを行う。また制御部１５０ｄは、リモコン装置１６０への入力操作に基づき、給湯混合弁Ｂ４の開度を制御して給湯部７から出湯する湯の温度を調整する。また制御部１５０ｄは、リモコン装置１６０への入力操作に基づき、湯張り混合弁Ｂ１１の開度を制御して浴槽９に出湯する湯の温度を調整すると共に、湯張り電磁弁Ｂ１２の開度を制御して浴槽９への出湯を制御する。
【００７８】
また制御部１５０ｄは、所定時刻（例えば貯湯タンク５内の残湯量が全量状態にされる時刻（例えば７：００））に初期的に、起動残湯量および停止残湯量を設定する。
【００７９】
また制御部１５０ｄは、残湯量検出部１５０ｂの検出結果に基づき、ヒートポンプユニット３およびポンプＰ１を起動／停止を制御して、貯湯タンク５内の水の沸き上げを停止する。
【００８０】
設定値変更部１５０ｃは、出湯量検出部１５０ａの検出結果に基づき、一定時刻毎に貯湯タンク５からの出湯量を検出し、その検出結果に基づき、大量出湯の発生の有無の検出を行う。より詳細には、大量出湯の発生の有無の検出は、所定長の時間内に所定量以上の出湯量が発生したか否かにより行われる。ここでは、上記の所定長の時間は、予め、例えば１時間（固定値）に設定されている。また上記の所定量は、予め、例えば浴槽９への湯張り１回分程度の量（固定値）に設定されている。
【００８１】
そして大量出湯の発生が検出された場合は、設定値変更部１５０ｃは、起動残湯量および停止残湯量の設定値を小さくして変更する。
【００８２】
≪基本動作≫
この貯湯式給湯装置１では、外部の給水管ｈ２０中の水が、その水圧により各部ｈ２→Ｎ１→ｈ１→Ｂ１→５ａを通じて貯湯タンク５に供給されることで、貯湯タンク５は常に満水状態に保たれる。
【００８３】
そして貯湯タンク５内の水を沸き上げる場合は、制御部１５０ｄの制御により、三方弁Ｂ３がまず第２入湯口５ｄ側に全開され（即ち第１入湯口５ｃ側は全閉され）、且つヒートポンプユニット３およびポンプＰ１が起動される。このポンプＰ１の起動により、貯湯タンク５内の水は、各部５ｂ→Ｂ２→Ｐ１→１１→ｈ５→１５→Ｂ３→５ｄの経路を経て流れる。またこのヒートポンプユニット３の起動により、循環配管ｈ５がヒートポンプユニット３により加熱されて循環配管ｈ５を流れる水が沸き上げられ、その沸き上げられた水は、第２入湯口５ｄから貯湯タンク５の下部に戻される。
【００８４】
そして一定時間経過して、ヒートポンプユニット３による加熱により所定の高温（例えば７５℃）の湯が沸き上がる様になると、制御部１５０ｄの制御により、三方弁Ｂ３が第１入湯口５ｃ側に全開される（即ち第２入湯口５ｄ側は全閉される）。これにより、貯湯タンク５内の水は、各部５ｂ→Ｂ２→Ｐ１→１１→ｈ５→１５→Ｂ３→５ｃの経路を経て流れ、その経路の途中で沸き上げられて、第１入湯口５ｃから貯湯タンクの上部に戻される。この状態が継続されることで、貯湯タンク５内の水は、ヒートポンプユニット３により所定の高温に沸き上げられて、貯湯タンク５の上部から貯湯されて行く。
【００８５】
その際、残湯量検出部１５０ｂは、貯湯タンク５に配設された各サーミスタＴ１〜Ｔ６の検出結果基づき、貯湯タンク５内の残湯量を検出している。そして貯湯タンク５内の残湯量が所定量に達すると、制御部１５０ｄは、ヒートポンプユニット３およびポンプＰ１を停止して、貯湯タンク５内の水の沸き上げを停止する。
【００８６】
また給湯部７から所望の給湯温度の湯を出湯する場合は、まず利用者によりモコン装置１６０に所望の給湯温度の設定が入力される。そして利用者により給湯部７が開操作されると、貯湯タンク５内の湯が第１出湯配管ｈ１０を通じて給湯混合弁Ｂ４に流入すると共に第２給水管ｈ２からの水が給湯混合弁Ｂ４に流入して、給湯混合弁Ｂ４において、それら湯および水が所定の混合比で混合されて給湯配管ｈ１１を通じて給湯部７から出湯される。その際、給湯サーミスタＴ９により給湯配管ｈ１１に流れる湯の温度が検出され、その検出温度が上記の所望の給湯温度になる様に、制御部１５０ｅにより給湯混合弁Ｂ４の弁体の開度が制御され、給湯部７から出湯される湯の温度が上記の所望の給湯温度に調整される。
【００８７】
また浴槽９に湯張りを行う場合は、まず利用者によりモコン装置１６０に所望の湯張り温度および所望の湯張り湯量が設定される。そして利用者によりリモコン装置１６０に湯張り開始の操作が入力されると、制御部１５０ｅにより湯張り電磁弁Ｂ１２の弁体が開成される。これにより貯湯タンク５内の湯が各部５ｆ→Ｎ９→Ｂ１０→Ｎ８→Ｂ１１を通じて湯張り混合弁Ｂ１１に流入すると共に第２給水管ｈ２からの水が各部ｈ２→Ｎ４→Ｂ１１を通じて湯張り混合弁１１に流入して、湯張り混合弁１１において、それら湯と水とが所定の混合比で混合されて第３出湯配管ｈ１６を通じて浴槽９に出湯される。その際、給湯サーミスタＴ８により第３出湯配管ｈ１６に流れる湯の温度が検出され、その検出温度が上記の所望の湯張り温度になる様に、制御部１５０ｅにより湯張り電磁弁Ｂ１１の弁体の開度が制御され、浴槽９に出湯される湯の温度が上記の所望の湯張り温度に調整される。尚、その際、ポンプＰ３は停止しているので、貯湯タンク５内の湯が第１追焚循環配管ｈ２１を流れて貯湯タンク５の追焚循環戻り口５ｇに戻る循環は、起こらない。
【００８８】
そして制御部１５０ｅにより、湯張り水量センサＷ１の検出結果に基づき、浴槽９に上記の所望の湯張り湯量の湯が出湯された事が検知されると、湯張り電磁弁Ｂ１２の弁体が閉塞されて、浴槽９への湯張りが終了する。
【００８９】
≪沸き上げの動作≫
図３に基づき、貯湯タンク５内の水の沸き上げの動作を説明する。まずステップＳ０で、制御部１５０ｄにより、所定時刻（例えば７：００）に初期的に、起動残湯量の設定値Ｖが設定値Ｖ１に設定され、停止残湯量の設定値Ｕが設定値Ｕ１に設定される。
【００９０】
そしてステップＳ１で、制御部１５０ｄにより、残湯量検出部１５０ｂの検出結果に基づき、貯湯タンク５内の残湯量が起動残湯量以下であるか否かの判定が行われる。そしてその判定の結果、残湯量が起動残湯量以下でない場合は、処理がステップＳ３に進む。他方、残湯量が起動残湯量以下である場合は、ステップＳ２で、制御部１５０ｄにより、ヒートポンプユニット３およびポンプＰ１が起動されて貯湯タンク５内の水が沸き上げられて、処理がステップＳ３に進む。
【００９１】
そしてステップＳ３で、制御部１５０ｄにより、残湯量検出部１５０ｂの検出結果に基づき、貯湯タンク５内の残湯量が停止残湯量以上であるか否かの判定が行われる。そしてその判定の結果、残湯量が停止残湯量以上でない場合は、処理がステップＳ５に進む。他方、残湯量が停止残湯量以上である場合は、ステップＳ４で、制御部１５０ｄにより、ヒートポンプユニット３およびポンプＰ１が停止されて貯湯タンク５内の水の沸き上げが停止される。そして、処理がステップＳ５に進む。
【００９２】
そしてステップＳ５で、設定値変更部１５０ｃにより、出湯量検出部１５０ａの検出結果に基づき貯湯タンク５からの出湯量が検出され、その検出結果に基づき、大量出湯の発生の有無の検出が行われる。そしてその検出の結果、大量出湯の発生が検出されない場合は、処理がステップＳ７に進む。他方、大量出湯の発生が検出された場合は、ステップＳ６で、設定値変更部１５０ｃにより、起動残湯量の設定値Ｖが設定値Ｖ２に変更されると共に、停止残湯量の設定値Ｕが設定値Ｕ２に変更される。この各設定値Ｖ，Ｕの変更により、当該大量出湯が発生した場合に、直ぐに貯湯タンク５内の水が沸き上げられる事が抑制される。そして、ステップＳ６が実行された後、処理がステップＳ７に進む。
【００９３】
そしてステップＳ７で、制御部１５０ｄにより、貯湯タンク５内の残湯量を全量状態に沸き上げるのに要する所要時間が計算され、上記の所定時刻（例えば７：００）から上記の所要時間遡った時刻（全量沸上開始時刻）が算出され、現在時刻とその全量沸上開始時刻とが比較される。そしてその比較の結果、現在時刻が全量沸上開始時刻以降でない場合は、処理がステップＳ１に戻る。他方、現在時刻が全量沸上開始時刻以降である場合は、ステップＳ８で、制御部１５０ｄにより、設定値変更部１５０ｃが制御されて、停止残湯量の設定値Ｕが貯湯タンク５の全量状態に対応する設定値Ｕ３に設定されると共に、ヒートポンプユニット３およびポンプＰ１が起動されて貯湯タンク５内の水の沸き上げが開始される。
【００９４】
そしてステップＳ８が実行された後、ステップＳ９で、貯湯タンク５内の残湯量が全量状態になったと判断されると、ステップＳ１０で、制御部１５０ｄにより、ヒートポンプユニット３およびポンプＰ１が停止されて全量沸き上げが終了する。そしてステップＳ０に戻る。
【００９５】
図４（Ａ）は、１日（２４時間）の出湯状況の一例を示した図であり、縦軸は貯湯タンク５内の残湯量Ｑを示し、横軸は時刻を示している。次に、図３の動作を図４（Ａ）の出湯状況に当てはめて説明する。
【００９６】
時刻ｔ１（例えば時刻７：００）では、貯湯タンク５内の残湯量Ｑは貯湯タンク５の全量状態にあり、停止残湯量は設定値Ｕ１（ここではＵ１＝Ｅ）に設定されており、起動残湯量は設定値Ｖ１（ここではＶ１＝Ｃ）に設定されている（ステップＳ０）。
【００９７】
時刻ｔ１では、残湯量Ｑは停止残湯量の設定値Ｕ１よりも高いので、制御部１５０ｄにより、その事が判定されてヒートポンプ３およびポンプＰ１が停止されている（ステップＳ４）。この状態から、残湯量Ｑが、給湯部７等からの出湯により徐々減少して起動残湯量の設定値Ｖ１以下になると（時刻ｔ２）、制御部１５０ｄにより、その事が判定されてヒートポンプユニット３およびポンプＰ１が起動され（ステップＳ１，Ｓ２）、これにより貯湯タンク５内の水が沸き上げられて、残湯量Ｑが増加する。そして残湯量Ｑが停止残湯量の設定値Ｕ１以上になると（時刻ｔ３）、制御部１５０ｄにより、その事が判定されてヒートポンプユニット３およびポンプＰ１が停止され（ステップＳ３，Ｓ４）、これにより残湯量Ｑの増加が止まる。この様に、起動残湯量が設定値Ｖ１に設定され且つ停止残湯量が設定値Ｕ１に設定されている間は、残湯量Ｑは、各設定値Ｖ１，Ｕ１の間の範囲に保たれる。そして大量出湯の発生が発生せず（ステップＳ５）、また現在時刻が全量沸き上げ開始時刻以降でなければ（ステップＳ６）、処理がステップＳ１に戻る。
【００９８】
そして時刻ｔ５（例えば時刻１９：００）で、大量出湯が発生すると、その事が設定値変更部１５０ｃにより検出され、設定値変更部１５０ｃにより、停止残湯量の設定値Ｕが設定値Ｕ２に変更されると共に、起動残湯量の設定値Ｖが設定値Ｖ２に変更される（ステップＳ５，Ｓ６）。これにより、残湯量Ｑは、各設定Ｕ２，Ｖ２の間の範囲に保たれる様になる。
【００９９】
この様に、起動残湯量の設定値Ｖが設定値Ｖ１よりも低い設定値Ｖ２に変更されることで、大量出湯の発生後に直ぐにヒートポンプユニット３が起動する事を抑制でき、これにより電気料金の安い夜間時間帯に沸き上げるべき水を貯湯タンクに多く確保できる様になる。また停止残湯量の設定値Ｕが設定値Ｕ１よりも低い設定値Ｕ２に設定されることで、ヒートポンプユニット３が起動しても、その起動を直ぐに停止でき、これによっても電気料金の安い夜間時間帯に沸き上げるべき水を貯湯タンク５に多く確保できる様になる。
【０１００】
そして全量沸上開始時刻（時刻ｔ６（例えば時刻３：００））になると、設定値変更部１５０ｃにより停止残湯量の設定値Ｕが設定値Ｕ３に設定されると共に、制御部１５０ｄによりヒートポンプユニット３およびポンプＰ１が起動されて貯湯タンク５内の水が沸き上げられる（ステップＳ７，Ｓ８）。そして時刻ｔ７（＝ｔ１）に貯湯タンク５内の残湯量Ｑが全量状態になると、制御部１５０ｄによりヒートポンプユニット３およびポンプＰ１が停止される（ステップＳ９，Ｓ１０）。
【０１０１】
この様な沸き上げの動作により、例えば、時刻７：００〜１０：００の時間帯Ｄ１（即ち、デイタイムに備えて残湯量Ｑを確保したいが、電気料金の高い時間帯であるために貯湯タンク５内の水を沸き上げたくない時間帯）および、時刻１０：００〜１７：００の時間帯Ｄ２（即ち、電気料金の高い時間帯であるために貯湯タンク５内の水を沸き上げたくなく、且つ湯切れを防止したい時間帯）では、起動残湯量が設定値Ｖ１に設定されるので、デイタイムに備えて残湯量Ｑを確保でき、しかも設定値Ｖ１をそれほど高い設定値に設定しなければ、貯湯タンク５内の水の沸き上げを抑制できる。また停止残湯量は全量状態よりも低い設定値Ｕ１に設定されるので、たとえ貯湯タンク５内の水が沸き上げられても、沸き上げ過ぎる事を抑制できる。
【０１０２】
また例えば時刻１７：００〜２３：００の時間帯Ｄ３（即ち、大量出湯に備えて残湯量Ｑを確保したく、且つ大量出湯が発生した場合は、貯湯タンク５内の水の沸き上げを、直ぐに行わずに、電気料金の安い夜間時間帯まで遅らせたい時間帯）では、大量出湯が起こる前は、上記の時間帯Ｄ２と同様に、起動残湯量は設定値Ｖ１に設定されるので、貯湯タンク５内の残湯量Ｑを確保でき、貯湯タンク５内の水の沸き上げを抑制でき、且つ停止残湯量は設定値Ｕ１に設定されるので、貯湯タンク５内の水が沸き上げられ過ぎる事を防止できる。そして大量出湯が発生した後は、起動残湯量は設定値Ｖ１よりも低い設定値Ｖ２に設定されるので、当該大量出湯の後直ぐに貯湯タンク５内の水が沸き上げられる事を抑制できる。また停止残湯量も設定値Ｕ１よりも低い設定値Ｕ２に設定されるので、貯湯タンク５内の水の沸き上げが起こっても、その沸き上げを直ぐに停止させる事ができる。その結果、貯湯タンク５内の水の沸き上げを電気料金の安い夜間時間帯に遅らせる事ができる。
【０１０３】
また例えば時刻２３：００〜７：００の時間帯Ｄ４（即ち、時刻７：００に貯湯タンク５内の水の全量沸き上げを完了したく、且つ電気料金が安く貯湯タンク５内の湯の放熱ロスを減らした時間帯）では、制御部１５０ｄは、残湯量検出部１５０ｂの検出結果に基づき、一定時間毎に、貯湯タンク５内の残湯量を全量状態に沸き上げるのに要する所要時間を計算する。そして制御部１５０ｄは、所定時刻（貯湯タンク５の残湯量を全量状態にすべき時刻（例えば７：００））から上記の所要時間遡った時刻（全量沸上開始時刻）を算出し、現在時刻とその全量沸上開始時刻とを比較する。そしてその比較の結果、現在時刻が全量沸上開始時刻ｔ６（例えば３：００）より前であれば、起動残湯量が設定値Ｖ２に設定されると共に停止残湯量が設定値Ｕ２に設定されるので、残湯量Ｑが少なく抑えられて貯湯タンク５の湯からの放熱ロスが低減される。そして現在時刻が全量沸上開始時刻ｔ６以降であれば、制御部１５０ｄは、設定値変更部１５０ｃを制御して、停止残湯量の設定値Ｕを貯湯タンク５の全量状態に対応する設定値Ｕ３に設定すると共に、ヒートポンプユニット３およびポンプＰ１を起動させて貯湯タンク５内の水の沸き上げを開始させる。そして制御部１５０ｄは、貯湯タンク５内の残湯量が全量状態になると、ヒートポンプユニット３およびポンプＰ１を停止して全量沸き上げを終了する。この様にして、時刻７：００に残湯量Ｑを全量状態にできる。
【０１０４】
≪従来の沸き上げの動作との比較≫
図４（Ｂ）は、従来の、１日における貯湯タンク内の水の沸き上げの動作の一例を示したものであり、縦軸は貯湯タンク内の残湯量を示し、横軸は時刻を示している。
【０１０５】
従来では、起動残湯量は設定値Ｖ１に固定され、停止残湯量は全量沸上開始時刻ｔ８まで設定値Ｕ１に固定されるので、貯湯タンク内の残湯量Ｑは、常に各設定値Ｕ１，Ｖ１の間に保たれる。そのため、大量出湯の後直ぐに貯湯タンクの水が沸き上げられるので、夜間電力で沸き上げられるべき水を多く確保できないという欠点や、大量出湯直後から全量沸き上げ開始するまでの時間帯（大量出湯が殆ど起こらない時間帯）に貯湯タンクに多くの残湯量を保持するので、放熱ロスが多く発生するという欠点がある。これらの欠点は、本発明では、上記の様に改善されている。
【０１０６】
以上の様に構成された貯湯式給湯装置１によれば、大量出湯の発生が検出された場合に、起動残湯量の設定値Ｖは設定値Ｖ１（第１の設定値）からそれよりも低い設定値Ｖ２（第２の設定値）に変更されるので、大量出湯の発生後はヒートポンプユニット（加熱手段）３が起動することを抑制でき、これにより貯湯タンク５内の水の沸き上げ過ぎを抑制できる。
【０１０７】
また貯湯タンク５からの出湯量に基づき大量出湯の発生が検出されるので、浴槽９への出湯だけでなく給湯（蛇口やシャワー）７からの出湯を含む出湯全般を考慮でき、これにより大量出湯の発生を正確に検出できる。
【０１０８】
その際、貯湯タンク５からの出湯を浴槽９へと流す第３出湯配管ｈ１６（第１配管）に流れる湯の熱量に基づき、貯湯タンク５からの出湯量を検出するので、簡単な構成で、貯湯タンク５からの出湯量を検出できる。またその際、貯湯タンク５からの出湯を浴槽９以外の給湯部７へと流す給湯配管ｈ１１（第２配管）に流れる湯の熱量に基づき、貯湯タンク５からの出湯量を検出するので、簡単な構成で、貯湯タンク５からの出湯量を検出できる。
【０１０９】
また大量出湯の発生が検出された場合に、停止残湯量の設定値Ｕは設定値Ｕ１（第３の設定値）からそれよりも低い設定値Ｕ２（第４の設定値）に変更するので、大量出湯の後にヒートポンプユニット３が起動しても、その駆動時間を短くでき、これによっても貯湯タンク５内の水の沸き上げ過ぎを抑制できる。
【０１１０】
また大量出湯に関する所定長の時間は予め固定値として設定されるので、前記所定長の時間を所望の値に設定できる。
【０１１１】
また各設定値Ｖ２，Ｕ２（第２，第４の設定値）は予め固定値として設定されるので、各設定値Ｖ２，Ｕ２を所望の値に設定できる。
【０１１２】
［実施例２］
実施例１では、各配管ｈ１１，ｈ１６のサーミスタＴ９，Ｔ８および水量センサＷ２，Ｗ１の検出結果から各配管ｈ１１，ｈ１６を流れる湯の熱量を検出することで、貯湯タンク５からの出湯量を検出したが、この実施例では、各サーミスタＴ１〜Ｔ６の検出温度から貯湯タンク５からの出湯量を検出する。
【０１１３】
より詳細には、出湯量検出部１５０ａは、一定時間毎に各サーミスタＴ１〜Ｔ６の検出温度から貯湯タンク５内の残湯量およびその湯の温度を検出し、それらの検出結果から貯湯タンク５内の残湯量の熱量を検出する。そして今回検出したその残湯量の熱量と前回検出した残湯量の熱量との差を計算して残湯量の熱量の変化を検出し、その変化から貯湯タンク５からの出湯量を検出する。尚、上記の計算では、残湯量を熱量に変換して計算しているが、今回検出した残湯量と前回検出した残湯量の差を計算して、貯湯タンク５からの出湯量を計算してもよい。
【０１１４】
尚、この実施例の他の構成は、実施例１と同じである。
【０１１５】
以上の様に構成された貯湯式給湯装置１Ｂによれば、貯湯タンク５に配設された水温センサ（水温検出検出手段）の検出結果に基づき貯湯タンク５からの出湯量を検出するので、簡単な構成で、直接、貯湯タンク５からの出湯量を検出できる。
【０１１６】
［実施例３］
この実施例では、実施例１において更に、大量出湯（所定長の時間内に所定量以上の出湯量）が発生する時間帯として予め設定された時間帯（設定時間帯）よりも早い時間帯において、出湯量検出部１５０ａにより大量出湯が検出された場合は、停止残湯量および起動残湯量の各設定値Ｕ，Ｖが変更されない様にしたものである。
【０１１７】
上記の設定時間帯は、リモコン装置１６０への設定入力により、固定値として所望の時間帯に設定してもよい。または図５の様に、実施例１の制御装置１５０に更に設定部１５０ｅを追加し、その設定部１５０ｅにより、出湯量検出部１５０ａの一定期間（例えば２４時間）の検出結果に基づき、その一定期間における一定時刻毎（例えば１時間毎）の出湯量の情報を取得させ、その情報に基づき、大量出湯が発生する時間帯を推定させ、その推定させた時間帯を上記の設定時間帯として設定させてもよい。尚この場合、出湯量検出部１５０ａは、一定時刻毎（例えば１時間毎）に出湯量を検出しているものとする。尚、設定された上記の設定時間帯の情報は、制御装置１５０内の所定の記憶部に設定される。
【０１１８】
例えば設定時間帯として時刻１７：００〜２３：００が設定されると、１７：００以前に大量出湯が発生しても、停止残湯量および起動残湯量の各設定値Ｕ，Ｖはそれぞれ各設定値Ｕ２，Ｖ２に変更されない。
【０１１９】
この実施例に係る貯湯式給湯装置の動作は、図３の動作を、例えば下記の様に修正すれば良い。即ちステップＳ５で、制御部１５０ｄにより残湯量が発生したと判断された場合に、更に、制御部１５０ｄにより、その判断時刻が上記の設定時間帯よりも早い時間帯であるか否かを判断させる。そしてその判断の結果、早い時間帯であると判断された場合は、ステップＳ７の処理を実行させ、他方、早い時間帯でないと判断された場合は、ステップＳ６の処理を実行させる。
【０１２０】
以上の様に構成された貯湯式給湯装置１Ｃによれば、早い時間帯から起動残湯量および停止残湯量の各設定値Ｖ，Ｕが設定値Ｖ２，Ｕ２（第２，第４の設定値）に変更される事を防止でき、これにより貯湯タンク５内の湯が湯切れする事を防止できる。
【０１２１】
また設定時間帯を予め固定値として設定する場合は、設定時間帯を所望の時間帯に設定できる。また設定時間帯を設定部１５０ｅにより設定させる場合は、設定時間帯を大量出湯の発生状況に応じて自動的に適切な時間帯に設定できる。
【０１２２】
［実施例４］
この実施例は、実施例１において、大量出湯（所定長の時間内に所定量以上の出湯量）であるか否かを判定する際の前記所定長の時間、および停止残湯量の設定値Ｕ２および起動残湯量の設定値Ｖ２を、学習機能により自動的に最適値に設定する様にしたものである。
【０１２３】
より詳細には、この実施例の制御装置１５０は、図５の様に、更に設定部１５０ｆ（第１、第２および第３の設定手段）を備えている。この設定部１５０ｆは、出湯量検出部１５０ａの一定期間（例えば２４時間）の検出結果に基づき、その一定期間における一定時刻毎（例えば１時間毎）の出湯量の情報を取得し、その情報に基づき、大量出湯が発生する時間の長さを推定し、その時間を前記所定長の時間として設定する。尚この実施例では、出湯量検出部１５０ａは、一定時刻毎（例えば１時間毎）に出湯量を検出しているものとする。
【０１２４】
また設定部１５０ｆは、出湯量検出部１５０ａの一定期間（例えば２４時間）の検出結果に基づき１回（または１日）当たりの出湯量を推定し、その推定した出湯量に基づき設定値Ｕ２を設定する。具体的には、例えば、１回（または１日）当たりの出湯量から１回（または１日）の出湯量の平均値を計算し、その平均値に所定係数を掛けた値を設定値Ｕ２として設定する。
【０１２５】
また設定部１５０ｆは、出湯量検出部１５０ａの一定期間（例えば２４時間）の検出結果に基づき１回（または１日）当たりの出湯量を推定し、その出湯量に基づき設定値Ｖ２を設定する。具体的には、例えば、１回（または１日）当たりの出湯量から１回（または１日）の出湯量の平均値を計算し、その平均値に所定係数を掛けた値を設定値Ｖ２として設定する。
【０１２６】
尚、設定値Ｕ２の当該所定係数を設定値Ｖ２の当該所定係数よりも大きくすることで、設定値Ｕ２を設定値Ｖ２よりも高くなる様に設定しても良い。
【０１２７】
以上の様に構成された貯湯式給湯装置１Ｄによれば、前記所定長の時間、設定値Ｕ２（第４の設定値）および設定値Ｖ２（第２の設定値）を設定部１５０ｆにより設定させるので、前記所定長の時間、設定値Ｕ２および設定値Ｖ２をそれぞれ、出湯の発生状況に応じて自動的に適切な値に設定できる。
【０１２８】
尚、この実施例では、前記所定長の時間、設定値Ｕ２および設定値Ｖ２を設定部１５０ｆにより設定させる場合で説明したが、前記所定長の時間、設定値Ｕ２および設定値Ｖ２のうちの何れか１つまたは２つだけを設定部１５０ｆにより設定させてもよい。
【０１２９】
［実施例５］
この実施例は、実施例１において更に、給湯貯湯タンク５内の湯と浴槽９内の湯水との間で熱交換を行って浴槽９内の湯水を暖め直す追い焚き機能を備えたものである。以下、図６に基づき、この実施例の貯等式給湯装置１Ｅの構成を説明する。
【０１３０】
この貯湯式給湯装置１Ｅは、実施例１と比べて、貯湯タンク５から浴槽９への出湯配管の構成が異なり、且つ追い焚き機能のための配管および熱交換器が追加されている点が異なる以外は同様に構成されている。以下、実施例１と同じ部分または対応する部分には同一符号を付して説明を省略し、実施例１と異なる点を中心に、この貯湯式給湯装置１Ｅの構成を説明する。
【０１３１】
貯湯タンク５の上面には、第２出湯口５ｆが設けられている。この第２出湯口５ｆは、第２出湯配管ｈ１４を介して湯張り混合弁Ｂ１１に接続されている。尚、第２出湯配管ｈ１４には、貯湯タンク５からの湯が逆流する事を防止するための逆止弁Ｂ１０が配設されている。
【０１３２】
湯張り混合弁Ｂ１１には、更に、第３給水管ｈ１５の一端口が接続されると共に、第３出湯配管ｈ１６の一端口が接続されている。尚、第３給水管ｈ１５の他端口は、第２給水管ｈ２の分岐点Ｎ４に接続されている。分岐点Ｎ４は、例えば、第２給水管ｈ２における逆止弁Ｂ８と分岐点Ｎ１との間に位置している。また第３出湯配管ｈ１６の他端口は、風呂循環往き口２３に接続されており、風呂循環往き口２３には、配管ｈ１７を介して浴槽９が配設されている。尚、この実施例では、水温サーミスタＴ７は、第１給水管ｈ１における分岐点Ｎ１と逆止弁Ｂ１との間に配設されている。
【０１３３】
湯張り混合弁Ｂ１１は、電動モータによりその弁体の開度が調整される電動式である。湯張り混合弁Ｂ１１は、制御装置１５０の制御によりその弁体の開度が調整されることで、第２出湯配管ｈ１４からの湯と第３給水管ｈ１５からの水とを所望の混合比で混合して、その混合した湯を、第３出湯配管ｈ１６を通じて浴槽９側に流出させるものである。
【０１３４】
また第３出湯配管ｈ１６には、複合水弁２５が配設されている。複合水弁２５は、湯張り電磁弁Ｂ１２と、湯張り水量センサ（水量検出手段）Ｗ１と、逆止弁Ｂ１３，Ｂ１４と、排水弁Ｂ１６とを備えている。それら各要素Ｂ１２，Ｂ１３，Ｗ１，Ｂ１４は、湯張り混合弁Ｂ１１側からその順に第３出湯配管ｈ１６に配設されている。
【０１３５】
尚、湯張り電磁弁Ｂ１２は、電動モータによりその弁体の開度が調整される電動式である。湯張り電磁弁Ｂ１２は、制御装置１５０の制御によりその弁体の開度が調整されることで、第３出湯配管ｈ１６を流れる湯の水量を調整するものである。また湯張り水量センサＷ１は、第３出湯配管ｈ１６を流れる湯の水量を検出するものである。また各逆止弁Ｂ１３，Ｂ１４は、第３出湯配管ｈ１６を流れる湯が湯張り混合弁Ｂ１１側に逆流する事または浴槽９からの湯が混合弁Ｂ１１側に逆流する事を防止するものである。
【０１３６】
第３出湯配管ｈ１６の分岐点Ｎ５には、外部に引き出された第４排水管ｈ２７の一端口が接続されており、排水弁Ｂ１６は、その第４排水管ｈ２７に配設されている。尚、分岐点Ｎ５は、例えば、逆止弁Ｂ１３と湯張り水量センサＷ１との間に位置している。
【０１３７】
排水弁Ｂ１６は、その弁体が開成することで、第３出湯配管ｈ１６に貯まった湯水を配管ｈ１９を通じて第４排水管ｈ２７から外部に排出するものである。この排水弁Ｂ１６は、例えば、手動式に構成されて手動により、または電動式に構成されて後述の制御装置１５０の制御により、その弁体の開度が調整される様になっている。
【０１３８】
また第３出湯配管ｈ１６には、例えば複合水弁２５と風呂循環往き口２３との間において、第３出湯配管ｈ１６を流れる湯の温度を検出する湯張りサーミスタ（水温検出手段）Ｔ８が配設されている。
【０１３９】
また貯湯タンク５の底面には、追焚循環戻り口５ｇが設けられている。この追焚循環戻り口５ｇには、第１追焚循環配管ｈ２１の一端口が接続されている。第１追焚循環配管ｈ２１の他端口は、第２出湯配管ｈ１４の分岐点Ｎ８に接続されている。尚、分岐点Ｎ８は、第２出湯配管ｈ１４における逆止弁Ｂ１０と湯張り混合弁Ｂ１１の間に位置している。
【０１４０】
また第１追焚循環配管ｈ２１の一部分は、追焚熱交換器２５内に取り込まれている。
【０１４１】
また第１追焚循環配管ｈ２１の分岐点Ｎ１０は、第２出湯配管ｈ１４の分岐点Ｎ９に配管ｈ２２を介して接続されている。分岐点Ｎ９は、第２出湯配管ｈ１４における第２出湯口５ｆと逆止弁Ｂ１０との間に位置しており、分岐点Ｎ１０は、分岐点Ｎ８と追焚熱交換器２５との間に位置している。
【０１４２】
また第２出湯配管ｈ１４の分岐点Ｎ８には、外部に引き出された第３排水管ｈ１３の一端口が接続されている。第３排水管ｈ１３には、負圧作動弁付き逃し弁Ｂ９が配設されている。負圧作動弁付き逃し弁Ｂ９は、貯湯タンク５内の水圧が所定の水圧（例えば１９０ｋＰａ）以上の場合は、その弁体を開成して、貯湯タンク５内の湯水を、各部５ｆ→Ｎ９→Ｂ１０→Ｎ８→Ｎ１２→Ｂ９の経路を経て外部に排水し、他方、貯湯タンク５内の水圧が前記所定の水圧未満の場合は、その弁体を閉塞して、貯湯タンク５内の湯水が、各部５ｆ→Ｎ９→Ｂ１０→Ｎ８→Ｎ１２→Ｂ９の経路を経て外部に排水される事を禁止するものである。
【０１４３】
また第２出湯配管ｈ１４の分岐点Ｎ９と第３排水管ｈ１３の分岐点Ｎ１２とは、配管ｈ２３を介して接続されており、配管ｈ２３には、分岐点Ｎ１２から分岐点Ｎ９に流れる湯が逆流する事を防止する逆止弁Ｂ１７が配設されている。尚、分岐点Ｎ１２は、第３排水管ｈ１３における分岐点Ｎ８と逃がし弁Ｂ９との間に位置している。
【０１４４】
また第１追焚循環配管ｈ２１には、それに流れる湯を貯湯タンク５の追焚循環戻り口５ｇ側に循環させるための熱交換循環ポンプＰ３が配設されている。ここでは、循環ポンプＰ３は、例えば、第１追焚循環配管ｈ２１における追焚熱交換器２５と追焚循環戻り口５ｇとの間に配設されている。
【０１４５】
第１追焚循環配管ｈ２１の分岐点Ｎ１３には、外部に引き出された第４排水管ｈ２４の一端口が接続されており、第４排水管ｈ２４には、第１追焚循環配管ｈ２１中に貯まった水を排水するための水抜き栓Ｂ１８が配設されている。水抜き栓Ｂ１８は、例えば手動式のものが用いられている。
【０１４６】
第３出湯配管ｈ１６の分岐点Ｎ１４には、第２追焚循環配管ｈ２５の一端口が接続されている。第２追焚循環配管ｈ２５の他端口は、風呂循環戻り口２７に接続されており、風呂循環戻り口２７には、配管ｈ２６を介して浴槽９に接続されている。
【０１４７】
第２追焚循環配管ｈ２５の一部は、追焚熱交換器２５内に引き込まれており、第１追焚循環配管ｈ２１との間で熱交換可能になっている。
【０１４８】
第２追焚循環配管ｈ２５には、風呂循環ポンプＰ４と、風呂サーミスタ（水温検出手段）Ｔ１０と、水流スイッチＳＷ１と、水位センサＹとが配設されている。
【０１４９】
風呂循環ポンプＰ４は、浴槽９内の湯水を風呂循環戻り口２７から取り込んで第２追焚循環配管ｈ２５内を循環させて風呂循環往き口２３から浴槽９内に戻すためのものである。風呂サーミスタＴ１０は、第２追焚循環配管ｈ２５を流れる湯水の温度を検出するものである。水流スイッチＳＷ２は、第２追焚循環配管ｈ２５内を湯水が循環しているか否かを検出するものであり、例えば、湯水の循環を検出するとオンし、湯水の循環を検出しない場合はオフになる。水位センサＹは、浴槽９内の水位が浴槽９の追焚用吸水口９ａよりも高いか否かを検出するものであり、例えば、所定水圧以上の水圧を検出すると、浴槽９内の水位が追焚用吸水口よりも高い事を検出するものである。これら各要素Ｐ４，Ｔ１０，ＳＷ１，Ｙは、例えば、第２追焚循環配管ｈ２５における追焚熱交換器２５と風呂循環戻り口２７との間に配設されている。
【０１５０】
この実施例の出湯量検出部１５０ａは、実施例１の出湯量検出部１５０ａに於いて更に、循環ポンプＰ３の駆動時間に基づき第１追焚循環配管ｈ２１を流れる湯の水量を検出し、またサーミスタＴ１の検出温度に基づき第１追焚循環配管ｈ２１を流れる湯の水温を検出し、それら検出した水量および水温から第１追焚循環配管ｈ２１を流れる湯の熱量を検出することで、第１追焚循環配管ｈ２１に流れる湯の量を検出する。そして出湯量検出部１５０ａは、第１追焚循環配管ｈ２１を流れる湯の量と、給湯配管ｈ１１を流れる湯の量と、第３出湯配管ｈ１６を流れる湯の量とに基づき、貯湯タンク５からの出湯量を検出する。尚ここでも、実施例１と同様に、貯湯タンク５からの出湯量は、熱量として検出されている。
【０１５１】
この実施例の残湯量検出部１５０ｂは、実施例１の残湯量検出部１５０ｂと同じものである。
【０１５２】
この実施例の制御部１５０ｄは、実施例１の制御部１５０ｄにおいて更に、リモコン装置１６０に設定入力された追い焚きに関する情報（追焚開始指示や追焚温度など）に基づき、循環ポンプＰ４を起動して浴槽９内の湯水を各部２７→Ｙ→ＳＷ１→Ｔ１０→Ｐ４→２５→Ｎ１３→２３を通じて第２追焚循環配管ｈ２５内を循環させると共に、循環ポンプＰ３を起動して貯湯タンク９内の湯を各部５ｆ→Ｎ９→Ｎ８→Ｎ１０→２５→Ｎ１３→Ｐ３→５ｇを通じて第１追焚循環配管ｈ２１内を循環させる。これらの循環により追焚交換器２５において、貯湯タンク５からの湯と浴槽９からの湯水との間で熱交換が行われて、浴槽９内の湯水が追い焚きされる。
【０１５３】
尚、熱交換器２５で熱交換された貯湯タンク５からの湯は、水として追焚循環戻り口５ｇから貯湯タンク５に戻される。即ち第２出湯口５ｆからの出湯量の分だけ貯湯タンク５内の残湯量は減少する。
【０１５４】
尚、この貯湯式給湯装置１Ｅの他の構成部分は、実施例１と同じであるので、その説明は省略する。
【０１５５】
≪基本動作≫
次に実施例１と異なる点を中心に、この貯湯式給湯装置１Ｅの基本動作を説明する。
【０１５６】
浴槽９に湯張りを行う場合は、実施例１と基本的には同じであるが、貯湯タンク５から浴槽９へと流れる配管経路が異なる。即ちこの実施例では、貯湯タンク５内の湯は、各部５ｆ→Ｎ９→Ｂ１０→Ｎ８→Ｂ１１を経て湯張り混合弁Ｂ１１に流れ、湯張り混合弁Ｂ１１で第３給水管ｈ１５からの水と混合され、各部Ｂ１１→Ｂ１２→Ｂ１３→Ｎ５→Ｗ１→Ｂ１４→Ｔ８→Ｎ１３→２３を経て浴槽９に出湯する。その際、ポンプＰ３は停止しているので、貯湯タンク５内の湯が第１追焚循環配管ｈ２１を流れて貯湯タンク５の追焚循環戻り口５ｇに戻る循環は、起こらない。
【０１５７】
浴槽９内の湯水の追い焚きを行う場合は、リモコン装置１６０に入力された追焚開始の指示に応じて、制御部１５０ｄの制御により、各循環ポンプＰ３，Ｐ４が起動される。これにより、貯湯タンク５内の湯は、各部５→５ｆ→Ｎ９→Ｂ１０→Ｎ８→Ｎ１０または各部５→５ｆ→Ｎ９→ｈ２２→Ｎ１０を経て、更に各部Ｎ１０→２５→Ｎ１３→Ｐ３→５ｇ→５を経て追焚用熱交換器２５内を循環する。そして浴槽９内の湯水は、各部９→ｈ２６→２７→Ｙ→ＳＷ２→Ｔ１０→Ｐ４→２５→Ｎ１３→２３→ｈ１７→９を経て追焚熱交換器２５内を循環する。そして追焚用熱交換器２５内で、貯湯タンク５からの湯と浴槽９からの湯水との間で熱交換が行われて、浴槽９内の湯水が追い焚きされる。そして制御部１５０ｄにより、風呂サーミスタＴ１０の検出温度に基づき、浴槽９からの湯水の温度がリモコン装置１６０に予め設定された追焚温度になった事が検知されると、制御部１５０ｄの制御により、各循環ポンプＰ３，Ｐ４が停止されて追い焚きが終了する。
【０１５８】
尚、追い焚きを行う際に、制御部１５０ｄにより、水位センサＹの検出結果に基づき、浴槽９内の湯水の水位が追焚用吸水口９ａよりも低い事が検出された場合は、追い焚きを行われない様にしてもよい。また制御部１５０ｄの制御により、先に循環ポンプＰ４を起動させた後、水流スイッチＳＷ１の検出結果に基づき、第２追焚循環配管ｈ２５に湯水が流れている事が検知されてから、循環ポンプＰ３を起動させる様にしてもよい。これらにより第２追焚循環配管ｈ２５に湯水が流れていない状態での追い焚きを防止できる。
【０１５９】
尚、貯湯タンク５への給水の動作、貯湯タンク５内の水の沸き上げの動作および給湯部７からの出湯の動作は、実施例１と同じあるので、その説明は省略する。尚、この貯湯式給湯装置１Ｅの主要部分の動作は、図３のフローチャートと同じある。
【０１６０】
≪沸き上げの詳細動作≫
この実施例での貯湯タンク５内の水の沸き上げの動作は、貯湯タンク５の残湯量および貯湯タンク５からの出湯に、追い焚きによる出湯が考慮される点が異なる以外は、実施例１と同じなので、その説明は省略する。
【０１６１】
以上の様に構成された貯湯式給湯装置１Ｅによれば、実施例１と同様の効果を得る他に、貯湯タンク５からの出湯を熱交換器２５内に循環させる第１追焚循環配管（循環配管）ｈ２１に流れる湯の熱量を検出して、貯湯タンク５からの出湯量を検出するので、熱交換器２５への出湯量を考慮して貯湯タンク５からの出湯量を検出できる。
【０１６２】
また水量検出手段（第３の水量検出手段）として、第１追焚循環配管ｈ２１に配設された循環ポンプＰ３が用いられるので、新たに水量検出手段を配設する必要を無くせる。
【０１６３】
尚、この実施例では、第１追焚循環配管ｈ２１を流れる湯の水量を検出するための水量検出手段として、循環ポンプＰ３を利用したが、循環ポンプＰ３の代わりに、第１追焚循環配管ｈ２１に水量センサを配設してもよい。
【０１６４】
尚、実施例１では、湯張り完了の予定時刻を設定入力すると、起動残湯量の設定値Ｖを設定値Ｖ３に設定すると共に停止起動残湯量の設定値Ｕを例えば設定値Ｕ１に設定したが、この実施例では、更に、追い焚き完了の予定時刻を設定入力した場合も、同様に、起動残湯量の設定値Ｖを設定値Ｖ３に設定すると共に停止起動残湯量の設定値Ｕを例えば設定値Ｕ１に設定する様にしてもよい。この場合も、湯張りの場合と同じ効果が得られる。
【０１６５】
尚、実施例５と実施例２，３または４とを組み合わせても良いことは言うまでも無いことである。
【符号の説明】
【０１６６】
１，１Ｂ〜１Ｅ  貯湯式給湯装置
３  ヒートポンプユニット
５  貯湯タンク
７  給湯部
９  浴槽
２５  追焚熱交換器
ｈ１  第１給水管
ｈ２  第２給水管
ｈ３  第１吐出管
ｈ４  第２吐出管
ｈ５  循環配管
ｈ６  外部の排水管
ｈ７  第１入湯管
ｈ９  第２入湯管
ｈ１０  第１出湯配管
ｈ１１  給湯配管
ｈ１３  第３排水管
ｈ１４  第２出湯配管
ｈ１５  第３給水管
ｈ１６  第３出湯配管
ｈ２０  給水管
ｈ２１  第１追焚循環配管
ｈ２４  第４排水管
ｈ２５  第２追焚循環配管
ｈ２７  第４排水管
ＳＷ１  水流スイッチ
Ｔ１  缶体上サーミスタ
Ｔ２〜Ｔ６  残湯量サーミスタ
Ｔ７  水温サーミスタ
Ｔ８  湯張りサーミスタ
Ｔ９  給湯サーミスタ
Ｔ１０  風呂サーミスタ
Ｕ１  第１の設定値
Ｕ２  第２の設定値
Ｕ３  第５の設定値
Ｖ１  第３の設定値
Ｖ２  第４の設定値
Ｗ２  給湯水量センサ
Ｗ１  湯張り水量センサ
Ｙ  水位センサ
【図１】
2010185596.tif 000003
【図２】
2010185596.tif 000004
【図３】
2010185596.tif 000005
【図４】
2010185596.tif 000006
【図５】
2010185596.tif 000007
【図６】
2010185596.tif 000008